(57)【要約】【課題】気密状態を長期に渡って確実に維持できる密封袋を提供する。【解決手段】バルブ３は、バルブ本体４、ボール弁体５およびスクリュー型キャップ６を備えている。バルブ本体４は、袋本体の内部側に向かって先細りの先細流路８と、先細流路８の大径端部近傍に設けられて先細流路８に連通する取付口２７とを有する。ボール弁体５は、先細流路８内に袋本体の内部側に向かって進退自在に配置されると共に、先細流路８を閉鎖可能である。スクリュー型キャップ６は、取付口２７内に挿入されてボール弁体５に当接するストッパ部９と、ストッパ部９をボール弁体５に向けて付勢するバネ部２９と、先細流路８に連通する接続口３１とを有すると共に、取付口２７に取り付けられている。先細流路８の大径部を形成する周面には、先細流路８の小径部内の流体をスクリュー型キャップ６側へ案内する溝１０が形成されている。【選択図】図４
2009196695.tif 000002
【特許請求の範囲】
【請求項１】
収容物を出し入れするための開口部を有すると共に、流体が通過できない材料からなる袋本体と、
上記袋本体に設けられ、上記開口部を開け閉め可能で、上記開口部を閉鎖時に密封する密封機構と、
上記袋本体に取り付けられて、上記袋本体の内部と上記袋本体の外部とを連通させるバルブと
を備え、
上記バルブは、
上記袋本体の内部側に向かって先細りの先細流路と、上記先細流路の大径端部近傍に設けられて上記先細流路に連通する取付口とを有するバルブ本体と、
上記先細流路内に上記袋本体の内部側に向かって進退自在に配置されると共に、上記先細流路を閉鎖可能な弁体と、
上記取付口内に挿入されて上記弁体に当接するストッパ部と、上記ストッパ部を上記弁体に向けて付勢する弾性体と、上記先細流路に連通する接続口とを有すると共に、上記取付口に取り付けられたキャップと
を備え、
上記先細流路の大径部を形成する周面には、上記先細流路の小径部内の流体を上記キャップ側へ案内する溝が形成されていることを特徴とする密封袋。
【請求項２】
請求項１に記載の密封袋において、
上記キャップは上記取付口に対して着脱可能であることを特徴とする密封袋。
【発明の詳細な説明】
【技術分野】
【０００１】
本発明は、例えば、布団、衣服および食料品等の物品を負圧状態で収容して圧縮可能な密封袋に関する。
【背景技術】
【０００２】
従来、食料品等の種々の物品を収容し、圧縮してコンパクトにできる密封袋がある。例えば、国際公開第２００５／０９０１７９号パンフレット（特許文献１）には、図１５に示すような密封袋が記載されている。この密封袋は、プラスチック製またはポリエチレン製の袋本体３０１と、この袋本体３０１の縁部に摺動可能に取り付けられたスライダ３５０とを備えていて、袋本体３０１の縁部には開口部３０７が設けられている。
【０００３】
上記開口部３０７には一対のインターロック機構３０２が設けられている。このインターロック機構３０２同士を係合させると、開口部３０７は閉まって密封される。そして、上記インターロック機構３０２同士の係合を解除すると、開口部３０７が開いて、開口部３０７を通して例えば食料品を出し入れすることができる。このようなインターロック機構３０２の係合およびその解除は、スライダ３５０の摺動によって行われる。
【０００４】
上記スライダ３５０には、図１６に示すように、袋本体３０１の内部と袋本体３０１の外部とを連通させる流路３０８が設けられている。この流路３０８の径は、袋本体３０１の内部側から袋本体３０１の外部側まで一定になっている。つまり、上記流路３０８を形成する流路形成面は円筒形である。
【０００５】
上記流路３０８内には球形状のボール弁体３０５が配置されている。これにより、上記袋本体３０１内の空気を袋本体３０１外に引き出した後、外気が流路３０８を通って袋本体３０１内に入るのをボール弁体３０５で防ぐ。
【０００６】
上記ボール弁体３０５は袋本体３０１の内部側に向かって進退自在となっており、上記流路形成面に設けた弁座に線接触して、流路３０８を閉鎖することができる。
【０００７】
しかしながら、上記従来の密封袋では、ボール弁体３０５によるシールは線接触による線シールであるため、ボール弁体３０５のシール性能が低くなっている。
【０００８】
したがって、上記袋本体３０１内の空気を袋本体３０１外に引き出して、袋本体３０１を圧縮しても、長時間が経過すると、上記弁座とボール弁体３０５との間から袋本体３０１内に外気が入って、袋本体３０１の圧縮が解除されてしまう。
【０００９】
すなわち、上記従来の密封袋には、袋本体３０１の気密状態を長期に渡って維持できないという問題がある。
【特許文献１】国際公開第２００５／０９０１７９号パンフレット
【発明の開示】
【発明が解決しようとする課題】
【００１０】
そこで、本発明の課題は、気密状態を長期に渡って確実に維持できる密封袋を提供することにある。
【課題を解決するための手段】
【００１１】
上記課題を解決するため、本発明の密封袋は、
収容物を出し入れするための開口部を有すると共に、流体が通過できない材料からなる袋本体と、
上記袋本体に設けられ、上記開口部を開け閉め可能で、上記開口部を閉鎖時に密封する密封機構と、
上記袋本体に取り付けられて、上記袋本体の内部と上記袋本体の外部とを連通させるバルブと
を備え、
上記バルブは、
上記袋本体の内部側に向かって先細りの先細流路と、上記先細流路の大径端部近傍に設けられて上記先細流路に連通する取付口とを有するバルブ本体と、
上記先細流路内に上記袋本体の内部側に向かって進退自在に配置されると共に、上記先細流路を閉鎖可能な弁体と、
上記取付口内に挿入されて上記弁体に当接するストッパ部と、上記ストッパ部を上記弁体に向けて付勢する弾性体と、上記先細流路に連通する接続口とを有すると共に、上記取付口に取り付けられたキャップと
を備え、
上記先細流路の大径部を形成する周面には、上記先細流路の小径部内の流体を上記キャップ側へ案内する溝が形成されていることを特徴としている。
【００１２】
上記構成の密封袋を使用する場合、まず、開口部を通して収容物を袋本体内に入れた後、密封機構によって、開口部を閉鎖して密封する。
【００１３】
次に、例えば空気吸引ポンプの吸引口をキャップの接続口に接続した後、空気吸引ポンプを稼働させる。そうすると、上記弁体は、空気吸引ポンプの吸引力を受けて、弾性体の付勢力に抗して袋本体から離れる方向に移動する。これにより、上記先細流路の小径端部と先細流路の大径端部とが先細流路の周面の溝を介して連通するので、袋本体内の空気が先細流路の周面の溝を通って空気吸引ポンプに流入する。つまり、上記袋本体内の空気が空気吸引ポンプに吸引される。
【００１４】
引き続き、上記袋本体内の空気の吸引を継続すると、袋本体内が負圧になって、袋本体が収容物と共に外気の圧力によって圧縮される。
【００１５】
最後に、上記空気吸引ポンプを停止させると、袋本体内の負圧と弾性体の付勢力とによって、弁体が先細流路の小径端部側に向かって進んで先細流路を閉鎖する。このとき、上記ストッパ部は弁体に当接し、弾性体がストッパ部を弁体に向けて付勢している。
【００１６】
したがって、上記先細流路の閉鎖状態が解除されるのを弾性体の付勢力で防いで、先細流路の閉鎖状態を維持できるので、先細流路を長期に渡って確実にシールすることができる。
【００１７】
また、上記収容物が例えば食料品である場合、圧縮状態の袋本体が電子レンジにかけられ、食料品から蒸気が発生することがある。このように、上記食料品から蒸気が発生して、袋本体内の気圧が上昇して過度に高くなると、上記弁体は弾性体の付勢力に抗して袋本体から離れる方向に移動する。これにより、上記先細流路の小径端部と先細流路の大径端部とが先細流路の周面の溝を介して連通するので、袋本体内の蒸気を先細流路および溝を介して外部に放出できる。
【００１８】
したがって、上記袋本体内の気圧が下がるので、過度に高い気圧が密封機構にかからず、密封機構による開口部の密封が解除されるのを防ぐことができる。
【００１９】
また、上記袋本体内の気圧が下がれば、弾性体の付勢力によって、弁体が先細流路の小径端部側に向かって進むので、弁体で先細流路を再び閉鎖する。
【００２０】
一実施形態の密封袋では、
上記キャップは上記取付口に対して着脱可能である。
【００２１】
上記実施形態の密封袋によれば、上記キャップは取付口に対して着脱可能であるから、取付口からキャップを取り外すことができる。したがって、上記キャップおよびバルブ本体のメンテナンスが容易となる。
【００２２】
また、上記取付口からキャップを取り外すことにより、弁体を先細流路内から取り出すことができる。したがって、上記弁体のメンテナンスも容易である。
【発明の効果】
【００２３】
本発明の密封袋によれば、弾性体がストッパ部を弁体に向けて付勢していることによって、ストッパ部が、弁体に当接し、先細流路を形成する周面に弁体を押し付けるので、先細流路を長期に渡って確実にシールすることができる。
【００２４】
また、仮に、袋本体内の収容部から蒸気が発生しても、袋本体内の気圧が過度に高くなれば、弁体が弾性体の付勢力に抗して袋本体から離れる方向に移動するので、先細流路の小径端部と先細流路の大径端部とが先細流路の周面の溝を介して連通する。したがって、上記袋本体内の蒸気を先細流路の周面の溝を介して外部に放出でき、その結果、上記袋本体内の過度に高い気圧が密封機構にかからず、密封機構による開口部の密封が解除されるのを防ぐことができる。
【００２５】
また、上記袋本体内の気圧が下がれば、弾性体の付勢力によって、弁体が先細流路の小径端部側に向かって進むので、弁体で先細流路を再び閉鎖することができる。
【発明を実施するための最良の形態】
【００２６】
以下、本発明の密封袋を図示の実施の形態により詳細に説明する。
【００２７】
図１は本発明の一実施の形態の密封袋の概略正面図である。
【００２８】
上記密封袋は、図１に示すように、例えば食料品を出し入れするための開口部７を有する袋本体１と、この袋本体１の縁部に設けられたファスナ２と、その袋本体１の縁部に取り付けられたバルブ３とを備えている。なお、上記食料品は収容物の一例である。また、上記ファスナ２は密封機構の一例である。
【００２９】
上記袋本体１は、透明な袋表側シート１１と、この袋表側シート１１に対向する透明な袋裏側シート１２とを有している。そして、上記袋表側シート１１および袋裏側シート１２は、それぞれ、流体が通過できない材料（例えばプラスチックフィルム）からなっていている。また、上記袋表側シート１１の縁部は、大部分が袋裏側シート１２の縁部に熱圧着され、一部がバルブ３に熱圧着されている。なお、上記開口部７では、袋表側シート１１の縁部は袋裏側シート１２の縁部に熱圧着されていない。また、上記流体が通過できない材料としては、少なくとも、空気バリアー性のある材料であることが望ましい。
【００３０】
上記袋裏側シート１２の内面には、略全面に渡って凹凸１３（一部のみ図示）が形成されている。この凹凸１３は、平面視で略円形の突起を複数含み、エンボス加工等の加工で形成されている。このような凹凸１３があることによって、袋表側シート１１および袋裏側シート１２が互いに接触しても、袋表側シート１１と袋裏側シート１２との間に隙間を確保して、袋本体１内にある空気や液体等の流体をバルブ３から袋本体１外に引き出すことができる。つまり、上記凹凸１３により、袋本体１内で流体を閉じ込めることがなくて、袋本体１内の流体の引き出しが不完全で終わるのを防げる。
【００３１】
上記ファスナ２は、袋本体１の開口部７を開け閉め可能で、開口部７を閉鎖時に密封する。図示しないが、上記ファスナ２は、雄ファスナ部材と、この雄ファスナ部材に対向する雌ファスナ部材とを有している。
【００３２】
上記雄ファスナ部材および雌ファスナ部材の材料としては、適度の柔軟性および弾性を有するプラスチックが用いられている。その雄ファスナ部材は、雌ファスナ部材に嵌めたり、雌ファスナ部材から抜いたりすることができる。上記雌ファスナ部材に雄ファスナ部材を嵌めることにより、袋本体１の開口部７が閉鎖し、また、雌ファスナ部材から雄ファスナ部材を抜くことにより、袋本体１の開口部７が開放する。
【００３３】
図２は上記バルブ３を前方から見た概略図である。また、図３は上記バルブ３を側方から見た概略図である。
【００３４】
上記バルブ３は、袋本体１内の流体を袋本体１外へ引き出すためのものである。このバルブ３は、図２，図３に示すように、バルブ本体４と、このバルブ本体４内に収容された略球形状のボール弁体５と、そのバルブ本体４の取付口２７に着脱可能に取り付けられたスクリュー型キャップ６とを備えている（図４，図５参照）。なお、上記ボール弁体５は弁体の一例であり、スクリュー型キャップ６はキャップの一例である。
【００３５】
上記バルブ本体４は、ＰＥ(ポリエチレン)やＰＰ(ポリプロピレン)等の硬質プラスチックを金型成形して得ている。
【００３６】
上記スクリュー型キャップ６は、先細流路８に連通する略円筒形状の接続口３１と、この接続口３１と一体に形成された略カップ状の螺合部１７とを有している。
【００３７】
図４は図３のＦ４−Ｆ４線から見た概略断面図である。また、図５は図２のＦ５−Ｆ５線から見た概略断面図である。
【００３８】
上記バルブ本体４には、図４，図５に示すように、図中下側（袋本体１の内部側）に向かって先細りの先細流路８が設けられている。この先細流路８の大径端部近傍には、先細流路８に連通する取付口２７が設けられている。一方、上記先細流路８の小径端部には、図中下側に向かって先太りの先太流路２８が連なっている。
【００３９】
上記先細流路８および先太流路２８を形成する各周面は、略円錐形である。より詳しくは、上記先細流路８を形成する面のテーパ角αは１５°〜２２°（例えば１８°）に設定されている。一方、上記先太流路２８を形成する面のテーパ角βは１８°〜３５°（例えば２３°）に設定されている。
【００４０】
上記先細流路８内には、ボール弁体５が袋本体１の内部側に向かって進退自在に配置されている。このボール弁体５は、図４，図５中の実線で示す状態において、先細流路８を形成する周面に全周にわたって接触している。また、上記ボール弁体５は、バルブ本体４の材料よりも軟質で弾性がある材料で形成されている。具体的には、上記ボール弁体５は、シリコンゴム、ニトリルゴム、エラストマ、合成ゴム、生分解性樹脂、合成樹脂（例えばポリイソブチレン）等で形成されている。
【００４１】
上記先細流路８の大径部を形成する周面には、９０°の位相で４本の溝１０が設けられている。この各溝１０はボール弁体５の進退方向に沿って延びている。また、上記各溝１０の袋本体１側の端は、先細流路８の周面とボール弁体５との接触部よりスクリュー型キャップ６側に位置している。つまり、上記袋本体１の脱気を行っていない時には、ボール弁体５によるシールに悪影響が及ばないように、各溝１０を設けている。
【００４２】
上記バルブ本体４の取付口２７の外周面にはねじ部３３が一体に形成されている。この取付口２７には、スクリュー型キャップ６が先細流路８の小径端部側に向かって進退自在に取り付けられる。
【００４３】
上記スクリュー型キャップ６は、バルブ本体４の材料よりも軟質で弾性がある材料で形成されている。具体的には、上記スクリュー型キャップ６は、軟質プラスチック等で形成されている。また、上記スクリュー型キャップ６は、取付口２７内に挿入される２本のバネ部２９と、この各バネ部２９の図中下端に接続されてボール弁体５に当接する環状のストッパ部９とを有している（図８〜図１２参照）。なお、上記バネ部２９は弾性体の一例である。
【００４４】
図６は上記バルブ３を上方から見た概略図である。また、図７は上記バルブ３を下方から見た概略図である。
【００４５】
図６に示すように、上記スクリュー型キャップ６の螺合部１７の外周面は、円周面となっている。この螺合部１７の外周面の径は、図２に示すように、バルブ本体４の図中下側の部分の幅Ｗよりも小さくなっている。また、上記螺合部１７の外周面の径は、図３に示すように、バルブ本体４の図中下側の部分の厚さＴよりも大きくなっている。
【００４６】
図７に示すように、上記バルブ本体４は、中央部から両側部側に向かって徐々に厚さが薄くなる形状を呈している。上記バルブ本体４には、２つの盲穴１５が形成されていて、２つの盲穴１５はバルブ本体４の下端面（取付口２７側とは反対側の端面）で開口している。なお、図７においては、ストッパ部９およびバネ部２９の図示を省略している。
【００４７】
図８は上記スクリュー型キャップ６を正面から見た概略図である。また、図９は図８のＦ９−Ｆ９線から見た概略断面図である。
【００４８】
上記バネ部２９の図中下端は、図８，図９に示すように、螺合部１７の下端から突出している。また、上記螺合部１７の内周面には溝３４が設けられ、この溝３４はバルブ本体４の取付口２７のねじ部３３が螺合する（図４，図５，図１０，図１１参照）。
【００４９】
上記バルブ本体４にスクリュー型キャップ６を取り付ける場合、溝３４にねじ部３３の一部を螺合させた後、スクリュー型キャップ６を順回転させて、バルブ本体４に近づく方向に進める。これにより、上記ストッパ部９が先細流路８内に入ってボール弁体５に当接する。また、上記バルブ本体４からスクリュー型キャップ６を分離できるので、バルブ本体４およびスクリュー型キャップ６を容易に洗浄することができる。
【００５０】
上記バルブ本体４からスクリュー型キャップ６を取り外す場合、スクリュー型キャップ６を順回転させて、バルブ本体４から離れる方向に移動させる。これにより、上記ボール弁体５に対するストッパ部９の当接が解除されるので、ボール弁体５を先細流路８内から取り出して容易に洗浄することができる。
【００５１】
図１０は上記スクリュー型キャップ６を斜め下方から見た概略図である。また、図１１は上記スクリュー型キャップ６を斜め下方から見た他の概略図である。また、図１２は上記スクリュー型キャップ６を斜め上方から見た概略図である。
【００５２】
上記スクリュー型キャップ６の各バネ部２９は螺旋状に延びている。また、上記スクリュー型キャップ６の螺合部１７の外周面には、図１０〜図１２に示すように、スクリュー型キャップ６を容易に回転させための凹凸が設けられている。なお、図１０〜図１２以外の図面では、その凹凸の図示は省略している。
【００５３】
上記構成の密封袋を使用する場合、まず、図１に示す開口部７を通して食料品を袋本体１内に入れた後、ファスナ２によって、開口部７を閉鎖して密封する。
【００５４】
次に、例えば空気吸引ポンプ（図示せず）の吸引口をスクリュー型キャップ６の接続口３１に接続した後、空気吸引ポンプを稼働させる。そうすると、図４に示すボール弁体５は、空気吸引ポンプの吸引力を受けて、バネ部２９の付勢力に抗して袋本体１から離れる方向に移動し、図４の二点鎖線で示す場所に位置する。これにより、上記先細流路８の小径端部と先細流路８の大径端部とが溝１０を介して連通するので、袋本体１内の空気が、図４中の矢印で示すように、先細流路８の周面の溝１０を通って袋本体１外へ出る。つまり、上記袋本体１内の空気が空気吸引ポンプに吸引される。
【００５５】
引き続き、上記袋本体１内の空気の吸引を継続すると、袋本体１内が負圧になって、袋本体１が食料品と共に外気の圧力によって圧縮される。
【００５６】
最後に、上記空気吸引ポンプを停止させると、袋本体１内の負圧とバネ部２９の付勢力とによって、ボール弁体５が先細流路８の小径端部側に向かって進んで先細流路８を閉鎖する。つまり、上記ボール弁体５が先細流路８の周面の全周にわたって接触する。このとき、上記ストッパ部９はボール弁体５に当接し、バネ部２９がストッパ部９をボール弁体５に向けて付勢する。
【００５７】
したがって、上記先細流路８の閉鎖状態が解除されるのをバネ部２９の付勢力で防ぐことができる。その結果、上記先細流路８の閉鎖状態を維持できるので、先細流路８を長期に渡って確実にシールすることができる。
【００５８】
また、上記圧縮状態の袋本体１は電子レンジにかけられ、袋本体１内の食料品から蒸気が発生することがある。このように、上記食料品から蒸気が発生して、袋本体１内の気圧が上昇して過度に高くなると、ボール弁体５はバネ部２９の付勢力に抗して袋本体１から離れる方向に移動し、図４の二点鎖線で示す場所に位置する。これにより、上記先細流路８の小径端部と先細流路８の大径端部とが溝１０を介して連通するので、袋本体１内の蒸気を先細流路８および溝１０を介して外部に放出できる。
【００５９】
したがって、上記袋本体１内の気圧が下がるので、過度に高い気圧がファスナ２にかからず、ファスナ２による開口部７の密封が解除されるのを防ぐことができる。
【００６０】
また、上記袋本体１内の気圧が下がれば、バネ部２９の付勢力によって、ボール弁体５が先細流路８の小径端部側に向かって進むので、ボール弁体５で先細流路８を再び閉鎖する。
【００６１】
また、上記ボール弁体５はバルブ本体４の材料よりも軟質で弾性がある材料で形成されているので、ボール弁体５を弾性変形させて先細流路８の小径端部側へ押し込むことができる。その結果、上記先細流路８を形成する周面に対してボール弁体５が面接触するので、ボール弁体５のシール性能を高くすることができる。
【００６２】
また、上記袋本体１の内部側に向かって先太りの先太流路２８が先細流路８の小径端部に連なっているので、袋本体１内の空気の吸引時、袋本体１内の空気が先太流路２８を介して先細流路８にスムーズに案内される。
【００６３】
したがって、上記袋本体１内の空気を効率良く吸引することができて、その空気の吸引に要する時間を短縮できる。
【００６４】
また、上記バルブ本体４はボール弁体５の材料よりも硬質で弾性がない材料で形成されているので、バルブ本体４を袋本体１に熱圧着で固定しても、バルブ本体４の変形を防ぐことができる。
【００６５】
また、上記スクリュー型キャップ６はバルブ本体４の材料よりも軟質で弾性がある材料で形成されているので、スクリュー型キャップ６の接続口３１に空気吸引ポンプの吸引口を挿入した際、接続口３１が弾性変形して空気吸引ポンプの吸引口に密着して、空気吸引ポンプは確実に接続口３１から空気等を吸引できる。
【００６６】
上述した密封袋は、例えば冷凍肉等の硬い収容物を袋本体１に入れる場合に特に有効である。何故なら、その場合、上記空気吸引ポンプが袋本体１内の空気を吸引しても、袋本体１内の負圧を高くすることができず、ボール弁体５に作用する力が大きくならないからである。
【００６７】
上記実施の形態では、スクリュー型キャップ６を完全に締めた状態で、袋本体１の脱気を行っていたが、スクリュー型キャップ６を少し緩めた締めた状態（完全に閉めてない状態）で、袋本体１の脱気を行ってもよい。
【００６８】
上記スクリュー型キャップ６を完全に締めた状態から少し緩めると、ボール弁体５からストッパ部９が離間し、ボール弁体５とストッパ部９との間に隙間が生じる。この状態で、上記空気吸引ポンプによる空気の吸引を行えば、ボール弁体５をスクリュー型キャップ６側に簡単に移動させることができる。したがって、上記空気吸引ポンプの吸引力で先細流路８の閉鎖状態を容易に解除することができる。
【００６９】
上記実施の形態では、袋表側シート１１の内面のみに凹凸１３を形成していたが、袋裏側シート１２の内面にも、凹凸１３と同様の凹凸を形成してもよいし、あるいは、袋表側シート１１および袋裏側シート１２の両方の内面に凹凸を形成してもよい。つまり、上記凹凸１３は、袋表側シート１１および袋裏側シート１２の少なくとも一方の面に形成すればよい。
【００７０】
上記実施の形態では、凹凸１３の突起は、平面視で略円形に形成していたが、平面視で略多角形に形成してもよい。
【００７１】
上記実施の形態では、略球形状のボール弁体５を用いていたが、図１３に示すような中実で略弾丸状の先細弁体１０５を用いてもよい。この先細弁体１０５を用いる場合、先細弁体１０５の大径端部側の端面をストッパ部９に対向させる。また、上記先細弁体１０５はスクリュー型キャップ１０６と共に用いてもよい。
【００７２】
上記実施の形態では、先細流路８と先太流路２８が形成されたバルブ本体４を用いていたが、先細流路８のみが形成されたバルブ本体を用いてもよい。
【００７３】
上記実施の形態では、先細流路８の小径端部に、袋本体１の内部側に向かって先太りの先太流路２８を接続していたが、先細流路８の小径端部に、径が略一定の流路を接続してもよい。つまり、略円筒形の面で形成された流路が先細流路８の小径端部に連なるようにしてもよい。
【００７４】
上記実施の形態では、袋本体１にバルブ３を取り付けていたが、図１４に示す袋本体２０１にバルブ３を取り付けてもよい。
【００７５】
上記袋本体２０１は、バルブ３が縁部に取り付けられた袋表側シート２１１と、袋表側シート２１１に対向する袋裏側シート２１２と、袋表側シート２１１と袋裏側シート２１２とを連結すると共に、内部側に折り曲げられたガセット２２２とを備えている。
【００７６】
このように、上記袋表側シート２１１の縁部にバルブ３が取り付けられているので、袋表側シート２１１と袋本体２０１内の液体との間にある気体のみを袋本体２０１外に引き出すことができる。
【００７７】
上記実施の形態において、開口部７の開け閉めを容易かつ確実に行うためのスライダを袋本体１に取り付けてもよい。
【００７８】
また、上記実施の形態で説明したバルブの構造を図１５，図１６のスライダに設けてもよい。
【００７９】
本発明の先細流路の形状は、上記実施の形態のような略円錐形状に限定されず、袋本体の内部側に向かって先細りの形状であればどんなものでもよい。例えば、本発明の先細流路は、回転楕円体の形状を有するものであってもよい。
【００８０】
上記実施の形態では、螺合部１７の外周面の径は、バルブ本体４の図中下側の部分の幅Ｗよりも小さくしていたが、その幅Ｗよりも大きくしてもよい。
【００８１】
上記実施の形態では、取付口２７に対してネジ構造で着脱可能なスクリュー型キャップ６を用いていたが、取付口２７に対してネジ構造以外の構造で着脱可能なキャップを用いてもよい。
【００８２】
上記実施の形態では、取付口２７に対して着脱可能にスクリュー型キャップ６を取り付けていたが、取付口２７に対してキャップを固定してもよい。このキャップは、スクリュー型キャップ６と同様に、取付口２７内に挿入されてボール弁体５に当接するストッパ部と、このストッパ部をボール弁体５に向けて付勢するバネ部と、先細流路６に連通する接続口とを有する。
【図面の簡単な説明】
【００８３】
【図１】図１は本発明の一実施の形態の密封袋の概略正面図である。
【図２】図２は上記密封袋のバルブの概略正面図である。
【図３】図３は上記バルブの概略側面図である。
【図４】図４は図３のＦ４−Ｆ４線矢視の概略断面図である。
【図５】図５は図２のＦ５−Ｆ５線矢視の概略断面図である。
【図６】図６は上記バルブの概略平面図である。
【図７】図７は上記バルブの概略底面図である。
【図８】図８は上記バルブのスクリュー型キャップの概略正面図である。
【図９】図９は図８のＦ９−Ｆ９線矢視の概略断面図である。
【図１０】図１０は上記スクリュー型キャップの概略斜視図である。
【図１１】図１１は上記スクリュー型キャップの他の概略斜視図である。
【図１２】図１２は上記スクリュー型キャップの他の概略斜視図である。
【図１３】図１３は先細弁体の概略斜視図である。
【図１４】図１４は上記密封袋の変形例の概略斜視図である。
【図１５】図１５は従来の密封袋の概略斜視図である。
【図１６】図１６は従来のスライダの概略斜視図である。
【符号の説明】
【００８４】
１  袋本体
２  ファスナ
３  バルブ
４  バルブ本体
５  ボール弁体
６  スクリュー型キャップ
７  開口部
８  先細流路
９  ストッパ部
１０  溝
２７  取付口
２９  バネ部
３１  接続口
【図１】
2009196695.tif 000003
【図２】
2009196695.tif 000004
【図３】
2009196695.tif 000005
【図４】
2009196695.tif 000006
【図５】
2009196695.tif 000007
【図６】
2009196695.tif 000008
【図７】
2009196695.tif 000009
【図８】
2009196695.tif 000010
【図９】
2009196695.tif 000011
【図１０】
2009196695.tif 000012
【図１１】
2009196695.tif 000013
【図１２】
2009196695.tif 000014
【図１３】
2009196695.tif 000015
【図１４】
2009196695.tif 000016
【図１５】
2009196695.tif 000017
【図１６】
2009196695.tif 000018